(57)【特許請求の範囲】
【請求項１】
入力する電流信号を単相の電圧信号に変換する電流電圧変換回路（２１）と、
前記電流電圧変換回路から出力される単相の電圧信号をトランジスタの第１端子で受け、該トランジスタの第２端子側と第３端子側から互いに位相が反転した２相の電圧信号を出力する位相分割回路（２２）と、
前記位相分割回路から出力される２相の電圧信号を受け、該２相の電圧信号の平均電位を合わせて出力するレベル合わせ回路（２３）と、
前記レベル合わせ回路によって平均電位が合わされた２相の電圧信号の一方を反転入力端子、他方を非反転入力端子で受け、該二つの入力端子に入力された２相の電圧信号の差分成分を増幅して、該増幅した信号を反転出力端子および非反転出力端子から互いに位相が反転した信号として出力する差動増幅回路（２４）とを備えたトランスインピーダンスアンプであって、
前記電流電圧変換回路は、反転型増幅器（２１ａ）と帰還抵抗（Ｒ）を備え、前記入力する電流信号が前記反転型増幅器の入力端子に入力され、当該反転型増幅器から出力される前記単相の電圧信号が前記帰還抵抗を介して前記反転型増幅器の入力端子に帰還されるようになっており、
前記位相分割回路を構成するトランジスタは、前記第１端子がベース、前記第２端子がコレクタ、前記第３端子がエミッタのバイポーラ型トランジスタ、または、前記第１端子がゲート、前記第２端子がドレイン、前記第３端子がソースの電界効果型トランジスタのいずれかであり、
前記レベル合わせ回路は、前記位相分割回路の前記トランジスタの前記第２端子側から出力される電圧信号の平均電位を、トランジスタあるいはダイオードの順方向電圧降下を利用して所定電圧分低下させるレベルシフト回路（２３ａ）を含んでおり、
前記レベル合わせ回路は、前記位相分割回路の前記トランジスタの前記第３端子側から出力される電圧信号の平均電位を、トランジスタあるいはダイオードの順方向電圧降下を利用して所定電圧分上昇させるレベルシフト回路（２３ｂ）を含んでいる、トランスインピーダンスアンプ。
【請求項２】
前記レベル合わせ回路は、
手動操作による電圧可変が可能な誤差補償電圧を発生させる誤差補償電圧発生器（２３ｃ）を有し、該誤差補償電圧を、前記位相分割回路から出力される２相の電圧信号の少なくとも一方、あるいは前記差動増幅回路に入力される２相の電圧信号の少なくとも一方に重畳して、前記２相の電圧信号の平均電位の誤差を縮小させることを特徴とする請求項１に記載のトランスインピーダンスアンプ。
【請求項３】
前記レベル合わせ回路は、
前記差動増幅回路に入力される２相の電圧信号の平均電位の差、または、前記差動増幅回路から出力される２相の電圧信号の平均電位の差を検出し、該差を縮小するために必要な誤差補償電圧を求める誤差電圧検出回路（２３ｅ）を有し、該誤差補償電圧を前記位相分割回路から出力される２相の電圧信号の少なくとも一方、あるいは前記差動増幅回路に入力される２相の電圧信号の少なくとも一方に重畳させて、前記平均電位の差を縮小させることを特徴とする請求項１に記載のトランスインピーダンスアンプ。
【請求項４】
光信号を受けて電流信号を出力する光電変換素子（１）と、
前記光電変換素子から出力された電流信号を受けるトランスインピーダンスアンプ（２０）とを有する光信号受信装置において、
前記トランスインピーダンスアンプが、請求項１〜３のいずれかに記載のトランスインピーダンスアンプであることを特徴とする光信号受信装置。
【発明の詳細な説明】
【技術分野】
【０００１】
本発明は、光電変換素子から出力される電流信号を受け、単相の電圧信号に変換し、これを互いに位相が反転した差動信号に変換して出力するトランスインピーダンスアンプおよび光信号受信装置の性能向上のための技術に関する。
【背景技術】
【０００２】
光通信装置の受信部を構成する光信号受信装置は、強度変調された光信号をフォトダイオード等の光電変換素子で受け、その光電変換素子から入力光の強度に応じて電流値が変化する信号(電流信号)を単相の電圧信号に変換し、その単相の電圧信号を、後続の差動型の処理回路や伝送路との接続が容易となるように、互いに位相が反転した２相の電圧信号に変換して出力している。
【０００３】
この電流電圧変換機能と２相の電圧信号への変換出力機能を有する回路を、一般的にトランスインピーダンスアンプ（以下、ＴＩＡと記す）と呼んでいる。
【０００４】
ＴＩＡの従来の構成例を図８に示す。
このＴＩＡは、フォトダイオード等の光電変換素子から出力される電流信号Ｉinを、電流電圧変換回路（以下、Ｉ−Ｖ回路と記す）１１で受け、その電流信号Ｉinの大きさに比例して電圧が変化する単相の電圧信号Ｖinに変換する。
【０００５】
ここで、Ｉ−Ｖ回路１１は、反転型の増幅器１１ａの出力信号を、帰還抵抗Ｒを介して入力端子に帰還させる構成となっており、帰還抵抗Ｒの抵抗値が増幅器１１ａの入力インピーダンスより十分高い場合、電圧信号Ｖinは、近似的に次のように表される。
Ｖin＝−Ｉin・Ｒ
【０００６】
この単相の電圧信号Ｖinを差動増幅回路１２の一方の入力端子に入力し、他方の入力端子に直流のリファレンス電圧Ｖref を入力することにより、差動増幅回路１２の２つの出力端子から、差動入力（Ｖin−Ｖref ）にほぼ比例した大きさをもち、互いに位相が反転した電圧信号Ｖout(+)、Ｖout(-)を出力させることができる。
【０００７】
ここで、電圧信号Ｖinの平均電位とリファレンス電圧Ｖref に差があると、その直流成分の差分を増幅するので、差動増幅回路１２を構成する一対の差動トランジスタの動作点が正常な領域からずれてしまい、出力信号に振幅の低下や歪みが生じてしまう。
【０００８】
そのため、この回路例では、ローパスフィルタ(ＬＰＦ)１３によって、電圧信号Ｖinの直流成分である平均電位Ｖave を抽出し、これを上記リファレンス電圧Ｖref として差動増幅回路１２に入力している。
【０００９】
上記構成のＴＩＡは、例えば特許文献１に開示されている。なお、この特許文献１では、電流電圧変換回路を「トランスインピーダンスアンプ」と呼び、差動増幅回路を含めた回路全体を光信号受信回路としているが、本発明では、電流電圧変換回路および差動増幅回路を含めた回路全体をＴＩＡと呼ぶことにする。
【先行技術文献】
【特許文献】
【００１０】
【特許文献１】特開２００７−２４３５１０号公報
【発明の概要】
【発明が解決しようとする課題】
【００１１】
上記した従来のＴＩＡでは、差動増幅回路１２の一方の入力端子に単相の電圧信号Ｖinを入力し、他方の入力端子に電圧信号Ｖinの平均電位に等しい直流電圧Ｖref を入力して信号増幅する構成であるから、差動増幅回路１２を構成する一対の差動トランジスタの動作が完全に対称とならず、回路構成によっては、出力される電圧信号Ｖout(+)、Ｖout(-)の振幅が等しくならない。
【００１２】
つまり、差動増幅回路１２は、一般的に図９に示すように、１対の差動トランジスタＴｒ１、Ｔｒ２のコレクタと高電位側の電源Ｖccの間に同一抵抗値の負荷抵抗Ｒ１、Ｒ２を接続し、エミッタ同士を同一抵抗値の抵抗Ｒ３、Ｒ４を介して接続し、その接続点を共通の抵抗Ｒ５（あるいは定電流源）を介して低電位側の電源に接続した構成を有しており、トランジスタＴｒ１、Ｔｒ２のベースに信号ＩＮ(+)、ＩＮ(-)を与えることで、その差分信号[ＩＮ(+)−ＩＮ(-)]に比例した、逆相、同相の二つの信号Ｖout(+)、Ｖout(-)を出力させる。
【００１３】
ここで、差動増幅回路の一方の入力端子に単相の電圧信号Ｖinを入力し、他方の入力端子にＶinの平均電位と等しい直流電圧Ｖref を入力した場合、差動増幅回路の電流源が理想的な定電流源であれば、二つのトランジスタＴｒ１、Ｔｒ２はほぼ対称的に増幅動作し、出力信号Ｖout(+)、Ｖout(-)の振幅もほぼ等しくなる。
【００１４】
一方、特許文献１に示されているように、低い電源電圧で高いダイナミックレンジを得るためには図９のように差動増幅回路の電流源として抵抗を用いる構成が有効であるが、このような回路構成の差動増幅回路の、一方の入力端子に単相の電圧信号Ｖinを入力し、他方の入力端子にＶinの平均電位と等しい直流電圧Ｖref を入力した場合、出力信号Ｖout(+)、Ｖout(-)の振幅が異なってしまう。
【００１５】
即ち、電流源を抵抗で構成した差動増幅回路では、十分な定電流動作がなされないため、差動増幅回路の同相利得が抑制されず、電圧信号Ｖinの状態により電流源抵抗に流れる電流が変化するので、Ｖinがハイレベルの時は電流源抵抗の電流が増加し、ローレベルの時は電流源抵抗の電流が減少する。これが出力信号Ｖout(+)の振幅変化を強調するように作用し、Ｖout(+)の振幅がＶout(-)の振幅よりも大きくなる非対称性を生じ、信号歪みの原因となる。
【００１６】
上記特許文献１では、３ボルト程度の単一電源を用いて電流電圧変換回路から出力させる電圧信号の振幅を最大にするために、差動増幅回路の定電流源を抵抗で置換したことによって生じる上記出力波形の非対称性を改善する手段として、この差動増幅回路の出力をさらに別の差動増幅回路でリミッティングして波形整形しているが、パルス振幅変調等の多値変調を用いた光通信においては、ＴＩＡは信号をリニアに増幅する機能が求められるので、上記用途のＴＩＡには上記手段を適用することはできなかった。
【００１７】
また、上記差動増幅回路の電流源を理想的な定電流源で構成した場合でも、差動増幅回路の一方の入力端子に単相の電圧信号Ｖinを入力し、他方の入力端子にＶinの平均電位と等しい直流電圧Ｖref を入力して信号増幅する構成では、差動増幅回路を構成する一対の差動トランジスタの動作が完全に対称にはならないため、高い周波数領域で２つの出力信号に位相ずれが生じ、信号品質劣化の原因となっていた。
【００１８】
さらに、上記した従来のＴＩＡは、差動増幅回路１２の一方の入力端子に単相の電圧信号Ｖinを入力し、他方の入力端子には、その電圧信号Ｖinの平均電位と等しい直流電圧Ｖref を入力して信号増幅する構成であるから、差動増幅回路１２の二つの入力端子に互いに位相が反転した差動信号を入力する構成のＴＩＡに比べ、高い利得を得られず、受信部のＳ／Ｎ比を高くできなかった。
【００１９】
本発明は、上記問題を解決し、等しい振幅で位相ずれのない対称性の良い差動信号を出力でき、リニア動作可能で、高い利得を備えたＴＩＡおよびそれを用いた光信号受信装置を提供することを目的としている。
【課題を解決するための手段】
【００２０】
前記目的を達成するために、本発明の請求項１のトランスインピーダンスアンプは、
入力する電流信号を単相の電圧信号に変換する電流電圧変換回路（２１）と、
前記電流電圧変換回路から出力される単相の電圧信号をトランジスタの第１端子で受け、該トランジスタの第２端子側と第３端子側から互いに位相が反転した２相の電圧信号を出力する位相分割回路（２２）と、
前記位相分割回路から出力される２相の電圧信号を受け、該２相の電圧信号の平均電位を合わせて出力するレベル合わせ回路（２３）と、
前記レベル合わせ回路によって平均電位が合わされた２相の電圧信号の一方を反転入力端子、他方を非反転入力端子で受け、該二つの入力端子に入力された２相の電圧信号の差分成分を増幅して、該増幅した信号を反転出力端子および非反転出力端子から互いに位相が反転した信号として出力する差動増幅回路（２４）とを備え、
前記電流電圧変換回路は、反転型増幅器（２１ａ）と帰還抵抗（Ｒ）を備え、前記入力する電流信号が前記反転型増幅器の入力端子に入力され、当該反転型増幅器から出力される前記単相の電圧信号が前記帰還抵抗を介して前記反転型増幅器の入力端子に帰還されるようになっている。
【００２１】
また、本発明の請求項１のトランスインピーダンスアンプにおいて、
前記位相分割回路を構成するトランジスタは、前記第１端子がベース、前記第２端子がコレクタ、前記第３端子がエミッタのバイポーラ型トランジスタ、または、前記第１端子がゲート、前記第２端子がドレイン、前記第３端子がソースの電界効果型トランジスタのいずれかであることを特徴とする。
【００２２】
また、本発明の請求項１のトランスインピーダンスアンプにおいて、
前記レベル合わせ回路は、
前記位相分割回路の前記トランジスタの前記第２端子側から出力される電圧信号の平均電位を、トランジスタあるいはダイオードの順方向電圧降下を利用して所定電圧分低下させるレベルシフト回路（２３ａ）を含んでいることを特徴とする。
【００２３】
また、本発明の請求項１のトランスインピーダンスアンプにおいて、
前記レベル合わせ回路は、
前記位相分割回路の前記トランジスタの前記第３端子側から出力される電圧信号の平均電位を、トランジスタあるいはダイオードの順方向電圧降下を利用して所定電圧分上昇させるレベルシフト回路（２３ｂ）を含んでいることを特徴とする。
【００２４】
また、本発明の請求項２のトランスインピーダンスアンプは、請求項１に記載のトランスインピーダンスアンプにおいて、
前記レベル合わせ回路は、
手動操作による電圧可変が可能な誤差補償電圧を発生させる誤差補償電圧発生器（２３ｃ）を有し、該誤差補償電圧を、前記位相分割回路から出力される２相の電圧信号の少なくとも一方、あるいは前記差動増幅回路に入力される２相の電圧信号の少なくとも一方に重畳して、前記２相の電圧信号の平均電位の誤差を縮小させることを特徴とする。
【００２５】
また、本発明の請求項３のトランスインピーダンスアンプは、請求項１または２に記載のトランスインピーダンスアンプにおいて、
前記レベル合わせ回路は、
前記差動増幅回路に入力される２相の電圧信号の平均電位の差、または、前記差動増幅回路から出力される２相の電圧信号の平均電位の差を検出し、該差を縮小するために必要な誤差補償電圧を求める誤差電圧検出回路（２３ｅ）を有し、該誤差補償電圧を前記位相分割回路から出力される２相の電圧信号の少なくとも一方、あるいは前記差動増幅回路に入力される２相の電圧信号の少なくとも一方に重畳させて、前記平均電位の差を縮小させることを特徴とする。
【００２６】
また、本発明の請求項４の光信号受信装置は、
光信号を受けて電流信号を出力する光電変換素子（１）と、
前記光電変換素子から出力された電流信号を受けるトランスインピーダンスアンプ（２０）とを有する光信号受信装置において、
前記トランスインピーダンスアンプが、請求項１〜３のいずれかに記載のトランスインピーダンスアンプであることを特徴とする。
【発明の効果】
【００２７】
このように、本発明のＴＩＡでは、電流電圧変換回路から出力される単相の電圧信号を位相分割回路のトランジスタの第１端子に与え、第２端子側と第３端子側から互いに位相が反転した２相の電圧信号を出力させ、その２相の電圧信号の平均電位をレベル合わせ回路によって合わせてから差動増幅回路に与えるようにしている。
【００２８】
このため、差動増幅回路には、平均電位が等しく合わされた互いに位相が反転した電圧信号が入力されるから、差動増幅回路からは、振幅が等しい対称性のある２相の電圧信号を高い利得で得ることができ、従来のように波形整形のために信号をリミッティングする必要がないので、リニア動作可能なＴＩＡを実現できる。
【００２９】
また、光信号受信装置のＴＩＡに本発明を適用することで、光電変換素子に入力される光信号の伝送経路での減衰が大きくなっていても高いＳ／Ｎ比で受信可能となり、長距離光通信が可能となる。
【図面の簡単な説明】
【００３０】
【図１】本発明の実施形態の構成図
【図２】本発明の実施形態の要部の回路例を示す図
【図３】本発明の実施形態の要部の回路例を示す図
【図４】本発明の実施形態の要部の別の回路例を示す図
【図５】本発明の実施形態の要部の別の回路例を示す図
【図６】本発明の実施形態と従来回路の特性を示す図
【図７】本発明の実施形態と従来回路の特性を示す図
【図８】従来回路を示す図
【図９】差動増幅回路の回路例を示す図
【発明を実施するための形態】
【００３１】
以下、図面に基づいて本発明の実施の形態を説明する。
図１は、本発明を適用したＴＩＡ２０と光電変換素子１からなる光信号受信装置の構成を示している。
【００３２】
図１において、電流電圧変換回路２１は、入力する電流信号Ｉinを単相の電圧信号Ｖinに変換するものであり、基本的には、反転型増幅器２１ａの入力端子と出力端子との間に帰還抵抗Ｒを接続した構成となっており、入力する電流信号Ｉinと等しい電流が出力端子から入力端子に流れ込むように動作し、−Ｉin・Ｒに等しい単相の電圧信号Ｖinを出力端子から出力する。
【００３３】
この単相の電圧信号Ｖinは、位相分割回路２２に入力される。位相分割回路２２は、入力される単相の電圧信号Ｖinを、位相が互いに反転した２相の電圧信号Ｖa(-)、Ｖb(+)に変換する。
【００３４】
この位相分割回路２２は、バイポーラ型トランジスタあるいは電界効果型トランジスタ（ＦＥＴ）を用いて構成することができるが、図２にバイポーラ型トランジスタを用いた回路例を示す。
【００３５】
図２の（ａ）の回路は、電圧信号ＶinをトランジスタＴｒ１１のベース（第１端子）に与え、コレクタ（第２端子）とエミッタ（第３端子）に抵抗Ｒ１１、Ｒ１２を接続した構成とし、電圧信号Ｖinに対して位相が反転した電圧信号Ｖa(-)をコレクタ側から出力させ、電圧信号Ｖinと同相の電圧信号Ｖb(+)をエミッタ側から出力させる。
【００３６】
また、図２の（ａ）のトランジスタＴｒ１の代わりに、図２の（ｂ）のように、２つのトランジスタＴｒ１２、Ｔｒ１３からなるカスコード回路を用いた構成も可能である。この構成の場合、電圧信号Ｖinをベース（第１端子）で受けるトランジスタＴｒ１２のコレクタ（第２端子）と負荷抵抗Ｒ１１との間にベース接地型の増幅回路を形成するトランジスタＴｒ１３が接続されており、そのトランジスタＴｒ１３のベースにはバイアス電圧Ｖbｂが与えられる。この回路の場合は、トランジスタＴｒ１２のベース（第１端子）で電圧信号Ｖinを受け、トランジスタＴｒ１２に接続されたトランジスタＴｒ１３のコレクタ側と、トランジスタＴｒ１２のエミッタ（第３端子）側から、電圧信号Ｖinに対して逆相と同相の信号を出力する。
【００３７】
このようにトランジスタを用いた位相分割回路２２で互いに位相が反転した電圧信号を生成させると、出力される２相の電圧信号Ｖa(-)、Ｖb(+)の平均電位に差が生じる。例えば、上記図２の（ａ）の構成では、正常な動作範囲にあるトランジスタＴｒ１１のコレクタ電圧とエミッタ電圧との間に通常１〜２ボルト程度の電位差ΔＶがあるので、この電位差ΔＶが２相の電圧信号Ｖa(-)、Ｖb(+)の平均電位の差として現れる。このように電位差ΔＶがある電圧信号Ｖa(-)、Ｖb(+)をそのまま後述の差動増幅回路２４に与えてしまうと、この電位差ΔＶの分も増幅されて拡大されて出力されることになるから、光通信装置で一般的に用いられる３Ｖ程度の電源では、差動増幅回路２４を構成する一対の差動トランジスタの動作点がアンバランスになり、正常な領域からずれてしまい、出力信号に振幅の低下や歪みが生じてしまう。
【００３８】
このため、この実施形態では、位相分割回路２２から出力される２相の電圧信号Ｖa(-)、Ｖb(+)を受け、その電圧信号Ｖa(-)、Ｖb(+)の平均電位を合わせて出力するレベル合わせ回路２３を設けている。
【００３９】
このレベル合わせ回路２３としては種々の方式が考えられる。その一つの方式として、２相の電圧信号Ｖa(-)、Ｖb(+)のうち、平均電位が高い方の電圧信号（上記回路例ではＶa(-)）を第１のレベルシフト回路２３ａによって例えばΔＶ／２だけ低い方にシフトさせ、反対に平均電位が低い方の電圧信号（上記回路例ではＶb(+)）を第２のレベルシフト回路２３ｂによってΔＶ／２だけ高い方にシフトさせ、２つの電圧信号Ｖa(-)、Ｖb(+)の平均電位の差ΔＶをほぼ零にして出力する。
【００４０】
より具体的に言えば、図３のように、第１のシフト回路２３ａをトランジスタＴｒ２１とエミッタ抵抗Ｒ２１を用いたエミッタフォロア回路で形成し、電圧信号Ｖa(-)をトランジスタＴｒ２１のベースに与え、トランジスタＴｒ２１のベース・エミッタ間の電圧降下分（≒ΔＶ／２）だけ低い方にシフトした電圧信号Ｖa(-)′をエミッタから出力させる。このエミッタフォロア回路のトランジスタＴｒ２１の代わりにダイオードを接続し、電圧信号Ｖa(-)をアノード側に与え、ダイオードの順方向電圧降下分だけ、低い方にシフトして出力させることもできる。
【００４１】
また、第２のシフト回路２３ｂを、ダイオードＤ２１と、そのダイオードＤ２１のアノード側と高電位側の電源Ｖccとの間に接続された抵抗Ｒ２２とで構成し、ダイオードＤ２１のカソード側に電圧信号Ｖb(+)を与え、ダイオードＤ２１の順方向電圧降下分（≒ΔＶ／２）だけ高い方にシフトした電圧信号Ｖb(+)′をアノード側から出力させる。
【００４２】
上記のように、２相の電圧信号のうち、平均電位が高い方を低くシフトし、平均電位が低い方を高くシフトし２つの電圧信号の平均電位を合わせて差動増幅回路２４の反転入力端子、非反転入力端子に入力することで、差動増幅回路２４を構成する一対の差動トランジスタの動作点をバランスさせることができる。
【００４３】
なお、平均電位が高い方の電圧信号（上記回路例ではＶa(-)）のみをほぼΔＶだけ低い方にシフトさせて、平均電位が低い方の電圧信号に合わせる方式や、逆に平均電位が低い方の電圧信号（上記回路例ではＶb(+)）のみをほぼΔＶだけ高い方にシフトさせ、平均電位が高い方の電圧信号Ｖa(-)に合わせる方式も採用できる。これらの方式を採用する場合には、上記第１のシフト回路２３ａや第２のシフト回路２３ｂのトランジスタやダイオードによる電圧シフトを２段構成とすればよい。
【００４４】
上記実施形態では、レベル合わせ回路として、シフトさせる電圧が固定の場合について説明したが、２相の電圧信号の平均電位をより厳密に合わせたい場合には、例えば図４に示すように、手動操作によって電圧可変が可能な誤差補償電圧発生器２３ｃを設け、その誤差補償電圧Ｅを、抵抗結合回路等からなる誤差電圧印加回路２３ｄを介して、電圧信号Ｖa(-)、Ｖb(+)の少なくとも一方、あるいは電圧信号Ｖa(-)′、Ｖb(+)′の少なくとも一方に重畳（加算、減算のいずれでもよい）させる。これによって、差動増幅回路２４に入力される２相の電圧信号、あるいは、差動増幅回路２４から出力される２相の電圧信号の平均電位を精度よく合わせることができる。
【００４５】
また、図５に示すように、平均電位の誤差電圧を自動的に検出する誤差電圧検出回路２３ｅを設け、その検出した誤差電圧を縮小するように誤差補償電圧Ｅを、誤差補償電圧印加回路２３ｄを介して電圧信号Ｖa(-)、Ｖb(+)の少なくとも一方、あるいは電圧信号Ｖa(-)′、Ｖb(+)′の少なくとも一方に重畳させることで、差動増幅回路２４に入力される電圧信号の平均電位あるいは差動増幅回路２４から出力される電圧信号の平均電位を自動的に精度よく合わせることもできる。
【００４６】
図５の（ａ）は、差動増幅回路２４に入力される電圧信号の平均電位を自動的に合わせる回路例であり、この回路例の誤差電圧検出回路２３ｅは、電圧信号Ｖa(-)′、Ｖb(+)′の平均電位の差を検出し、この差が縮小するために必要な誤差補償電圧Ｅを求めて、第１のシフト回路２３ａの入力側に設けられた誤差補償電圧印加回路２３ｄを介して電圧信号Ｖa(-)に重畳させている。
【００４７】
また、図５の（ｂ）は、差動増幅回路２４から出力される電圧信号の平均電位を自動的に合わせる回路例であり、この回路例の誤差電圧検出回路２３ｅは、差動増幅回路２４から出力される電圧信号の平均電位の差Ｅ′を検出し、その差が縮小するために必要な誤差補償電圧Ｅを、差動増幅回路２４の差動利得Ａを用いてＥ′／Ａの演算で求めて、第１のシフト回路２３ａの入力側に設けられた誤差補償電圧印加回路２３ｄを介して電圧信号Ｖa(-)に重畳させている。
【００４８】
上記回路例では、２相の電圧信号の平均電位の差を検出して、その差が縮小するのに必要な誤差補償電圧Ｅを求め、その平均電位の差の検出位置より前段側回路に入力される２相の信号の一方に重畳していたが、検出位置の信号ラインに挿入された誤差補償電圧印加回路２３ｄを介して重畳してもよい。また、２相の信号の一方だけでなく、双方に誤差補償電圧を重畳して、平均電位の差を縮小させるようにしてもよい。また、図５の（ｂ）のように差動増幅回路２４から出力される２相の電圧信号の誤差電圧を検出する場合の変形例として、差動増幅回路２４が多段構成の場合、そのいずれの段の出力からも誤差電圧を検出することができる。
【００４９】
上記の構成を用いれば、差動増幅回路２４には、位相が互いに反転し、平均電位が自動制御で常に一致した電圧信号Ｖa(-)′、Ｖb(+)′を入力することができる。
【００５０】
さらに、図２の位相分割回路のＲ１１とＲ１２を同一の抵抗値に設定すれば、Ｖa(-)、Ｖb(+)の振幅はほぼ等しくでき、差動増幅回路２４には位相が互いに反転し、振幅と平均電位が揃った電圧信号を入力できるので、差動増幅回路の動作は最も対称性が良くなり、電流源が抵抗で構成された場合であっても、振幅が揃った出力信号Ｖout(+)、Ｖout(-)を得ることができる。
【００５１】
また、差動増幅回路２４は位相が互いに反転した入力信号Ｖa(-)′、Ｖb(+)′の差分を差動利得Ａで増幅するので、単相の電圧信号Ｖinを差動増幅回路で増幅する従来の構成よりも大きな振幅の出力信号を得ることができる。それによりＴＩＡ全体の利得を高くすることができる。
【００５２】
図６は従来回路と本発明の実施形態の回路の、２つの出力端子(Ｖout(+)、Ｖout(-))におけるトランスインピーダンスゲイン（ｄＢｏｈｍ）の周波数特性のシミュレーション結果を示している。なお、どちらの回路も電源電圧３．３Ｖで、差動増幅回路の電流源は抵抗で構成している。また、本発明の実施形態の回路には、図５の（ａ）の自動制御回路を用いており、位相分割回路のＲ１１とＲ１２の抵抗値はどちらも５０Ωとしている。また、回路を形成するトランジスタとして、ｆt：２３０ＧＨｚ、ｆmax：４００ＧＨｚ程度のＩｎＰ  ＨＢＴを用いている。また、解析する周波数は、光通信で一般的に用いられる周波数領域の１００ｋＨｚ〜５０ＧＨｚとした。
【００５３】
図６の（ｂ）に示すように、従来回路では、２つの出力信号のゲインに約３ｄＢの差が、低い周波数領域から生じている。これは前記したように、電流源が抵抗で構成された差動増幅回路の、一方の入力端子に単相の電圧信号を入力して信号増幅しているので、電圧信号Ｖinの状態により差動増幅回路の電流が変化し、回路の動作が非対称になるためである。
【００５４】
一方、図６の（ａ）の本発明の実施形態の回路では、差動増幅回路の２つの入力端子に位相が互いに反転した振幅の等しい電圧信号が入力されるので、電流源が抵抗で構成された差動増幅回路であっても、回路が対称性良く動作し、２つの出力信号のゲインはほぼ一致した特性となっている。
【００５５】
図７は、図６の従来回路と本発明の実施形態の回路において、差動増幅回路の電流源を理想的な定電流源に置き換えた場合の、トランスインピーダンスゲイン（ｄＢｏｈｍ）とその位相特性のシミュレーション結果を示している。なお、Ｖout(-)の位相は１８０度シフトした位相を示している。
【００５６】
図７の（ｂ）の従来回路のゲインを見ると、差動増幅回路の電流源を理想的な定電流源にしたことにより、低い周波数領域での２つの出力信号のゲインは等しくなっているが、３０ＧＨｚ以上からゲイン差が現れ、５０ＧＨｚでの差は１．５ｄＢとなっている。また、２つの出力信号の位相特性は、５０ＧＨｚにおいて１７度の位相ずれが生じている。この位相ずれは、後段回路のジッタ劣化等の要因となる。一方、本発明の実施形態の回路では、図７の（ａ）のように、２つの出力信号のゲイン、位相は全周波数領域において一致した特性となっている。また、本発明の実施形態の回路と従来回路のゲインを比較すると、カットオフ周波数Ｆc はほぼ同等にもかかわらず、本発明の実施形態の回路は従来回路に比べ４ｄＢほど高いゲインが得られている。
【００５７】
以上より、本発明の実施形態の回路は、等しい振幅で位相ずれのない対称性の良い差動信号を出力でき、高い利得を得られることがわかる。
【００５８】
なお、上記実施形態では、位相分割回路２２を構成するトランジスタとして、バイポーラ型トランジスタを用いる例を示したが、図２に示した回路のトランジスタＴｒ１１〜Ｔｒ１３を、電界効果型トランジスタ（ＦＥＴ）に置き換えることも可能である。この場合、トランジスタＴｒ１１〜Ｔｒ１３のベース、コレクタ、エミッタをそれぞれＦＥＴのゲート、ドレイン、ソースに置き換えた回路とすればよく、トランジスタＴｒ１１、Ｔｒ１２のベース、コレクタ、エミッタに対応するゲート、ドレイン、ソースをそれぞれ第１端子、第２端子、第３端子とすればよい。また、電流電圧変換回路２１や差動増幅回路２４についても、バイポーラ型トランジスタで構成されるものだけでなく、電界効果型トランジスタ（ＦＥＴ）で構成されるものであってもよい。
【符号の説明】
【００５９】
１……光電変換素子、２０……ＴＩＡ（トランスインピーダンスアンプ）、２１……電流電圧変換回路、２２……位相分割回路、２３……レベル合わせ回路、２３ａ……第１のシフト回路、２３ｂ……第２のシフト回路、２３ｃ……誤差補償電圧発生器、２３ｄ……誤差補償電圧印加回路、２３ｅ……誤差電圧検出回路、２４……差動増幅回路
【図１】
0006706105.tif 000002
【図２】
0006706105.tif 000003
【図３】
0006706105.tif 000004
【図４】
0006706105.tif 000005
【図５】
0006706105.tif 000006
【図６】
0006706105.tif 000007
【図７】
0006706105.tif 000008
【図８】
0006706105.tif 000009
【図９】
0006706105.tif 000010